(57)【要約】【課題】書類等の被止め物を磁石の磁力により止めることができるとともに、頂板部表面に標識が設けられた液体容器用キャップを再使用することができるようにする。【解決手段】その外周部に雄ねじ２１ａを有する止め具本体２１と、該止め具本体２１の一端部に固定された板磁石２２とを備え、前記止め具本体２１の一端部は前記磁石２２の周面と向き合う複数の凸部２１ｃを有し、この凸部２１ｃ部分を摘んで止め具本体２１を液体容器用キャップ１内に係止させることができるように構成してある。【選択図】　　　　図２
2004106870.tif 000002
【特許請求の範囲】
【請求項１】
液体容器用キャップの内側に係止される係止部を有する止め具本体と、該止め具本体に固定された磁石とを備えることを特徴とする止め具。
【請求項２】
前記係止部は液体容器用キャップの雌ねじに螺合される雄ねじである請求項１記載の止め具。
【請求項３】
前記止め具本体はその一端部に前記磁石が固定される円柱形であり、前記一端部に前記液体容器用キャップの開口縁に当接すべき鍔部を有する請求項２記載の止め具。
【請求項４】
前記磁石は円形の板磁石であり、前記止め具本体の一端部は前記磁石の周面と向き合う複数の凸部を有する請求項３記載の止め具。
【請求項５】
前記止め具本体は円柱形であり、前記磁石は角形の板磁石である請求項１乃至３の何れかに記載の止め具。
【請求項６】
前記係止部は可撓性を有する請求項１、３、４、５の何れかに記載の止め具。
【発明の詳細な説明】
【０００１】
【発明の属する技術分野】
本発明はキャップにより密封された飲料容器等の液体容器用キャップを再使用するための止め具に関する。
【０００２】
【従来の技術】
キャップにより密封された飲料容器は、内部の飲料が飲まれた後、キャップが装着された状態で廃棄物処理場に廃棄されている。キャップは容器本体の口部外周に螺着される雌ねじを有する円筒部及び該円筒部の一端に連なる頂板部を備えている。また、近年では、キャップの頂板部表面に商標、キャラクタ等の標識が設けられている飲料容器が多く見受けられる。尚、磁石を有する止め具は周知である（例えば、非特許文献１参照）。
【０００３】
【非特許文献１】
「ＫＯＫＵＹＯ　オフィスサプライズ編２００２」
株式会社文昭堂発行、ｐ．３９４
【０００４】
【発明が解決しようとする課題】
ところが、キャップの頂板部表面に設けられた商標、キャラクタ等は販売メーカによって異なり、さらに、販売メーカが同じでも商品の種類によって異なるため、キャップの種類は比較的多く、しかも、意匠的に優れているにも拘らず容器本体とともに廃棄されており、キャップの再使用が望まれる。
【０００５】
本発明は斯かる事情に鑑みてなされたものであり、液体容器用キャップの内側に係止される係止部を有する止め具本体と、該止め具本体に固定された磁石とを備える構成とすることにより、書類等の被止め物を磁石の磁力により止めることができるとともに、頂板部表面に標識が設けられた液体容器用キャップを再使用することができる止め具を提供することを目的とする。
【０００６】
また、係止部が液体容器用キャップの雌ねじに螺合される雄ねじである構成とすることにより、液体容器用キャップの安定性を良好にできる止め具を提供することを目的とする。
【０００７】
また、止め具本体をその一端部に磁石が固定される円柱形とし、前記一端部に液体容器用キャップの開口縁に当接すべき鍔部を設けた構成とすることにより、係止力を低下させることなく止め具本体を比較的短くすることができる止め具を提供することを目的とする。
【０００８】
さらに、磁石を円形の板磁石とし、止め具本体の一端部に磁石の周面と向き合う複数の凸部を設けることにより、緩みが発生しない係止力となるまで止め具を容易に回し操作することができる止め具を提供することを目的とする。
【０００９】
また、止め具本体を円柱形とし、磁石を角形の板磁石とすることにより、緩みが発生しない係止力となるまで止め具を容易に回し操作することができる止め具を提供することを目的とする。
【００１０】
また、係止部が可撓性を有する構成とすることにより、回し操作を行うことなく、止め具を液体容器用キャップの内側に係止することができる止め具を提供することを目的とする。
【００１１】
【課題を解決するための手段】
第１発明に係る止め具は、液体容器用キャップの内側に係止される係止部を有する止め具本体と、該止め具本体に固定された磁石とを備えることを特徴とする。
【００１２】
第１発明にあっては、液体容器用キャップの内側に止め具を挿入することにより、係止部がキャップの内側に係止される。止め具本体には磁石が固定されているため、磁性を有する物体に磁石を近づけることにより、該磁石の磁力によって書類等の被止め物を前記物体に止めることができる。しかも、意匠的に優れている標識が設けられた液体容器用キャップを再使用することができるため、特別に標識を設ける必要がなく、しかも、液体容器の廃棄量を少なくすることができる。また、液体容器用キャップを取り替えることにより、標識を変えることができる。また、液体容器用キャップを取り替えることができるため、液体容器用キャップを複数集めることにより玩具として遊ぶことができる。
【００１３】
第２発明に係る止め具は、前記係止部は液体容器用キャップの雌ねじに螺合される雄ねじであることを特徴とする。
【００１４】
第２発明にあっては、止め具を回し操作することにより、雌ねじを有する液体容器用キャップの内側に止め具を係止することができ、液体容器用キャップの安定性を良好にできる。
【００１５】
第３発明に係る止め具は、前記止め具本体はその一端部に前記磁石が固定される円柱形であり、前記一端部に前記液体容器用キャップの開口縁に当接すべき鍔部を有することを特徴とする。
【００１６】
第３発明にあっては、止め具を回し操作することにより、液体容器用キャップの開口縁に鍔部が当接し、この止め具の回動抵抗が増加するため、係止力を低下させることなく止め具本体を比較的短くすることができ、止め具を軽量にできる。
【００１７】
第４発明に係る止め具は、前記磁石は円形の板磁石であり、前記止め具本体の一端部は前記磁石の周面と向き合う複数の凸部を有することを特徴とする。
【００１８】
第４発明にあっては、止め具本体の複数の凸部部分を摘んで回し操作を行うことができるため、緩みが発生しない係止力となるまで止め具を容易に回し操作することができる。
【００１９】
第５発明に係る止め具は、前記止め具本体は円柱形であり、前記磁石は角形の板磁石であることを特徴とする。
【００２０】
第５発明にあっては、角形の板磁石の周面を摘んで回し操作を行うことができるため、緩みが発生しない係止力となるまで止め具を容易に回し操作することができる。
【００２１】
第６発明に係る止め具は、前記係止部は可撓性を有することを特徴とする。
【００２２】
第６発明にあっては、液体容器用キャップの内側に止め具を挿入する際に係止部を撓ませることができるため、回し操作を行うことなく、止め具を液体容器用キャップの内側に係止することができる。
【００２３】
【発明の実施の形態】
以下本発明をその実施の形態を示す図面に基づいて詳述する。
実施の形態１
図１は本発明に係る止め具の構成を示すもので、（ａ）　は正面側の斜視図、（ｂ）　は背面側の斜視図、図２は止め具が液体容器用キャップに係止される前の状態を示す斜視図、図３は止め具が液体容器用キャップに係止された状態の断面図である。
【００２４】
この止め具２は、合成樹脂製の飲料容器等の液体容器用キャップ１、即ち、容器本体の口部外周に螺着される雌ねじ１０を有する円筒部１１及び該円筒部１１の一端に連なる頂板部１２を備えた液体容器用キャップ１を再使用可能とするもので、前記液体容器用キャップ１の雌ねじ１０に螺合により係止される係止部としての雄ねじ２１ａをその外周部に有し、その一端に底部２１ｂを有する円筒形の止め具本体２１と、円形周面を有し、前記止め具本体２１の底部２１ｂに接着等の固定手段により固定された円形板からなる磁石２２とを備えている。
【００２５】
止め具本体２１は合成樹脂製、又は、アルミニウム製の円筒形を含む円柱形であり、外周部に前記雄ねじ２１ａが成形されており、また、底部２１ｂには前記磁石２２の周面と向き合う４つの凸部２１ｃが一体に成形されている。この凸部２１ｃは周方向に離隔して等配されており、２つの凸部２１ｃ部分を摘んで止め具２を回し操作することができるようにしてある。また、凸部２１ｃは磁石２２の厚さよりも短い長さとしてある。尚、凸部２１ｃは４箇所に夫々１つとする他、近傍に２つ又は３つの凸部２１ｃを前記した４箇所に有する構成としてもよく、１箇所の凸部２１ｃの個数は特に制限されない。
【００２６】
磁石２２は表側となる一面と裏側となる他面との磁極を異にしており、前記他面部分が前記止め具本体２１の底部２１ｂに固定されている。
【００２７】
このように構成された止め具２は、内部の飲料が飲まれた後で廃棄物処理場に廃棄される飲料容器等の液体容器用キャップ１を例えばクリップとして再使用するために用いられる。
【００２８】
この際、液体容器の容器本体から取り外された液体容器用キャップ１を一方の手の指で摘み、他方の手の指で止め具本体２１の２つの凸部２１ｃ部分を摘み、止め具本体２１を液体容器用キャップ１内に挿入しつつ回し操作を行うことにより、雄ねじ２１ａが雌ねじ１０に螺合し、止め具２を液体容器用キャップ１に係止することができる。従って、液体容器用キャップ１を摘み、磁石２２を磁性を有する物体３に近づけることにより、該磁石２２の磁力によって書類等の被止め物を前記物体３に止めることができる。この際、意匠的に優れている標識が設けられた液体容器用キャップを再使用することができるため、特別に標識を設ける必要がなく、しかも、液体容器の廃棄量を少なくすることができる。また、液体容器用キャップ１を取り替えることにより、標識を変えることができる。また、液体容器用キャップ１を取り替えることができるため、玩具として遊ぶことができる。さらに、止め具本体２１の磁石固定側には摘み用の凸部２１ｃを有するため、この凸部２１ｃを摘んで止め具２を回し操作することができ、液体容器用キャップ１の取り替えを容易に行うことができる。
【００２９】
実施の形態２
図４は本発明に係る止め具の実施の形態２の構成を示す断面図である。
この実施の形態２の止め具２は、雄ねじ２１ａを有する前記止め具本体２１の一端部に前記液体容器用キャップ１の開口縁に当接すべき円形の鍔部２１ｄを一体に成形したものである。
【００３０】
この実施の形態２にあっては、、止め具２を回し操作することにより、液体容器用キャップ１の開口縁に鍔部２１ｄが当接し、止め具２の回動抵抗が増加するため、係止力を低下させることなく止め具本体２１の長さを実施の形態１に比べて短くすることができ、止め具を軽量にできる。
その他の構成及び作用は実施の形態１と同様であるため、同様の部品については同じ符号を付し、その詳細な説明及び作用効果の説明を省略する。
【００３１】
実施の形態３
図５は本発明に係る止め具の実施の形態３の構成を示す斜視図である。
この実施の形態３の止め具２は、円形板からなる磁石２２に代えて、角形周面を有する四角形の板体からなる磁石２２ａを用い、この磁石２２ａを止め具本体２１の底部２１ｂに接着等の固定手段により固定したものである。
【００３２】
この実施の形態３にあっては、止め具本体２１に前記凸部２１ｃを設けることなく磁石２２ａの角形周面を摘んで止め具２を回し操作することができる。
その他の構成及び作用は実施の形態１と同様であるため、同様の部品については同じ符号を付し、その詳細な説明及び作用効果の説明を省略する。尚、実施の形態２の鍔部２１ｄは実施の形態３に採用してもよい。
【００３３】
実施の形態４
図６は本発明に係る止め具の実施の形態４の構成を示す斜視図である。
この実施の形態４の止め具２は、前記雄ねじ２１ａをなくし、複数の撓み片２３ａ及び各撓み片２３ａの端部に係止部２３ｂを有する止め具本体２３と、該止め具本体２３の一端部に固定された前記磁石２２を備える構成としたものである。
【００３４】
止め具本体２３はその底部に前記磁石２２が固定された円環部２３ｃと、該円環部２３ｃの他端から軸長方向へ突設された複数の撓み片２３ａと、各撓み片２３ａの端部に突設され、前記液体容器用キャップ１の雌ねじ１０と係合する凸形の係止部２３ｂとを備え、撓み片２３ａを介して係止部２３ｂが撓むようにしてある。また、底部２３ｄには前記磁石２２の周面と向き合う４つの凸部２３ｅが一体に成形されている。この凸部２３ｅは周方向に離隔して等配されており、２つの凸部２３ｅ部分を摘んで止め具２を挿入操作することができるようにしてある。
【００３５】
この実施の形態４にあっては、液体容器の容器本体から取り外された液体容器用キャップ１を一方の手の指で摘み、他方の手の指で止め具本体２３の２つの凸部２３ｅ部分を摘み、止め具本体２３を液体容器用キャップ１内に挿入することにより係止部２３ｂが雌ねじ１０に当接し、この当接抵抗により撓み片２３ａを介して係止部２３ｂが撓み、該係止部２３ｂが雌ねじ１０に弾性的に係止される。
その他の構成及び作用は実施の形態１と同様であるため、同様の部品については同じ符号を付し、その詳細な説明及び作用効果の説明を省略する。
【００３６】
尚、以上説明した実施の形態４では撓み片２３ａを介して係止部２３ｂを撓み可能としたが、その他、この係止部２３ｂ自体を撓み可能としてもよい。即ち、Ｏリング、板ばね等の弾性体からなる係止部を、外周面に環状溝を有する円筒形を含む円柱形の止め具本体の前記環状溝に設け、液体容器用キャップ１の雌ねじ１０との係合により係止部自体が撓むようにしてもよい。
また、止め具本体２１は中心部に円形孔を有する円柱形（円筒形）である他、前記円形孔を有しない円柱形であってもよい。
【００３７】
【発明の効果】
以上詳述したように第１発明によれば、液体容器用キャップの内側に止め具を挿入することにより、該止め具を液体容器用キャップの内側に係止することができるため、意匠的に優れている標識が設けられた液体容器用キャップを再使用することができる。従って、特別に標識を設ける必要がなく、しかも、液体容器の廃棄量を少なくすることができる。また、液体容器用キャップを取り替えることにより、標識を変えることができる。しかも、液体容器用キャップを取り替えることができるため、液体容器用キャップを複数集めることにより玩具として遊ぶことができる。
【００３８】
第２発明によれば、雌ねじを有する液体容器用キャップの内側に止め具を係止することができ、液体容器用キャップの安定性を良好にできる。
【００３９】
第３発明によれば、鍔部が液体容器用キャップの開口縁に当接することにより、止め具の回動抵抗が増加するため、止め具本体に雄ねじを有する場合に比べて止め具本体の長さを短くすることができ、止め具を軽量にできる。
【００４０】
第４発明によれば、止め具本体の複数の凸部部分を摘んで回し操作を行うことができるため、緩みが発生しない係止力となるまで止め具を容易に回し操作することができる。
【００４１】
第５発明によれば、角形の板磁石の周面を摘んで回し操作を行うことができるため、緩みが発生しない係止力となるまで止め具を容易に回し操作することができる。
【００４２】
第６発明によれば、液体容器用キャップの内側に止め具を挿入する際に係止部を撓ませることができるため、回し操作を行うことなく、止め具を液体容器用キャップの内側に係止することができる。
【図面の簡単な説明】
【図１】本発明に係る止め具の構成を示すもので、（ａ）　は正面側の斜視図、（ｂ）　は背面側の斜視図である。
【図２】本発明に係る止め具が液体容器用キャップに係止される前の状態を示す斜視図である。
【図３】本発明に係る止め具が液体容器用キャップに係止された状態の断面図である。
【図４】本発明に係る止め具の実施の形態２の構成を示す断面図である。
【図５】本発明に係る止め具の実施の形態３の構成を示す斜視図である。
【図６】本発明に係る止め具の実施の形態４の構成を示す斜視図である。
【符号の説明】
１　　液体容器用キャップ
１０　雌ねじ
２　　止め具
２１、２３　止め具本体
２１ａ　雄ねじ（係止部）
２１ｃ　凸部
２２，２２ａ　磁石
【図１】
2004106870.tif 000003
【図２】
2004106870.tif 000004
【図３】
2004106870.tif 000005
【図４】
2004106870.tif 000006
【図５】
2004106870.tif 000007
【図６】
2004106870.tif 000008